(57)【要約】【課題】自律走行車両の走行状態を予測して正確な走行経路を設定できる自律走行車両制御装置を提供する。【解決手段】周辺情報に基づき自律走行を行う自律走行車両の走行経路を設定する自律走行車両制御装置であって、走行経路を設定する移動経路決定部（１１３）と、自律走行車両の走行状態に影響を与える走行影響情報を取得する走行影響情報取得手段（１６）と、走行影響情報に基づいて走行経路を予測する走行経路予測手段（１１５）と、走行経路予測手段（１１５）により予測された走行経路を表示する走行経路表示手段（１１７）と、を備えたことを特徴とするものである。【選択図】図３
2018032282.tif 000002
【特許請求の範囲】
【請求項１】
周辺情報に基づき自律走行を行う自律走行車両の走行経路を設定する自律走行車両制御装置であって、
前記自律走行車両の走行経路を表示する表示部と、
前記走行経路を設定する経路設定手段と、
前記自律走行車両の走行状態に影響を与える走行影響情報を取得する走行影響情報取得手段と、
前記走行影響情報に基づいて前記走行経路を予測する走行経路予測手段と、
前記走行経路予測手段により予測された走行経路を前記表示部に表示する走行経路表示手段と、
を備えたことを特徴とする自律走行車両制御装置。
【請求項２】
前記走経路表示手段は、前記走行影響情報を含まない周辺情報に基づき前記経路設定手段により設定される走行経路を表示することを特徴とする請求項１に記載の自律走行車両制御装置。
【請求項３】
前記走行経路予測手段は、以前に走行した経路の走行情報に基づき前記走行経路を予測することを特徴とする請求項１または２に記載の自律走行車両制御装置。
【請求項４】
前記走行影響情報は、路面状態を含むことを特徴とする請求項１から３のうちの何れか一項に記載の自律走行車両制御装置。
【請求項５】
前記走行影響情報は、路面の傾斜状態を含むことを特徴とする請求項１から４のうちの何れか一項に記載の自律走行車両制御装置。
【請求項６】
前記走行影響情報は、障害物の位置情報を含むことを特徴とする請求項１から５のうちの何れか一項に記載の自律走行車両制御装置。
【請求項７】
前記走行影響情報は、天候情報を含むことを特徴とする請求項１から６のうちの何れか一項に記載の自律走行車両制御装置。
【請求項８】
前記走行影響情報に基づき、前記表示部に前記路面状態を表示する路面状態表示手段を備えることを特徴とする請求項４に記載の自律走行車両制御装置。
【請求項９】
前記路面状態表示手段は、路面の摩擦係数に応じて前記表示部に表示される路面の色を設定して、前記表示部に前記路面状態を設定された色情報に基づいて表示することを特徴とする請求項８に記載の自律走行車両制御装置。
【請求項１０】
前記路面状態表示手段は、路面の摩擦係数に応じて前記表示部に表示される路面のパターンを設定して、前記表示部に前記路面状態を設定されたパターン情報に基づいて表示することを特徴とする請求項８に記載の自律走行車両制御装置。
【請求項１１】
前記走行経路予測手段は、前記走行経路上に障害物が存在する場合は、前記予測された走行経路は前記障害物の手前までとすることを特徴とする請求項６に記載の自律走行車両制御装置。
【請求項１２】
前記走行影響情報取得手段は、前記自律走行車両の前方を検出する検出手段であって、
前記走行経路表示手段は、前記走行影響情報取得手段の検出領域を前記表示部に表示する機能を備えることを特徴とする請求項１に記載の自律走行車両制御装置。
【請求項１３】
前記検出領域は、前記表示部に表示される他の領域とは異なる色で表示されることを特徴とする請求項１２に記載の自律走行車両制御装置。
【請求項１４】
前記検出領域は、点滅して表示されることを特徴とする請求項１２または１３に記載の自律走行車両制御装置。
【請求項１５】
前記検出領域は、前記走行影響情報取得手段として使用される検出手段の種類に応じて色を変えて表示されることを特徴とする請求項１２から１４のうちの何れか一項に記載の自律走行車両制御装置。
【請求項１６】
前記検出領域は、前記走行影響情報取得手段が障害物を検出した場合に、通常時の検出領域の色から異なる色に変化させて表示することを特徴とする請求項１２から１５のうちの何れか一項に記載の自律走行車両制御装置。
【請求項１７】
周辺情報に基づき自律走行を行う自律走行車両と、前記自律走行車両と無線で通信可能な外部サーバと、を備えて、前記自律走行車両の走行経路を設定する自律走行車両制御システムであって、
前記自律走行車両は、
前記自律走行車両の走行を制御する制御部と、
前記自律走行車両の走行状態に影響を与える走行影響情報を取得する走行影響情報取得手段と、
を備え、
前記外部サーバは、
前記自律走行車両の走行経路を表示する表示部と、
前記走行経路を設定する経路設定手段と、
前記走行影響情報取得手段より取得された走行影響情報に基づいて前記走行経路を予測する走行経路予測手段と、
前記走行経路予測手段により予測された走行経路を前記表示部に表示する走行経路表示手段と、
を備えたことを特徴とする自律走行車両制御システム。
【請求項１８】
周辺情報に基づき自律走行を行う自律走行車両の走行経路を設定する自律走行車両制御方法であって、
前記自律走行車両の走行経路を表示する工程と、
前記走行経路を設定する工程と、
前記自律走行車両の走行状態に影響を与える走行影響情報を取得する工程と、
前記走行影響情報に基づいて前記走行経路を予測する工程と、
前記走行経路予測手段により予測された走行経路を前記表示部に表示する工程と、
を備えたことを特徴とする自律走行車両制御方法。
【発明の詳細な説明】
【技術分野】
【０００１】
本発明は、自律走行車両制御装置、自律走行車両制御システム及び自律走行車両制御方法に係り、特に、周辺情報に基づき自律走行を行う自律走行車両の走行経路を設定する自律走行車両制御装置、自律走行車両制御システム及び自律走行車両制御方法に関する。
【背景技術】
【０００２】
近年、自律走行車両等の移動体の進行方向の周辺情報（測距情報など）を取得し、この周辺情報に基づいて移動体の周囲に存在する障害物を障害物センサ等によって検出して自律走行を可能にする自律走行車両の技術が知られている。
【０００３】
そして、自律走行車両に対して走行経路を指示する際には、マニュアル運転により指示を行なうようにしたり、運転制御装置により表示部の画面上に表示されたマップ上で指示を行なうようにしたりしている。
【０００４】
しかしながら、自律走行車両に対して走行経路を指示する時点では、障害物センサがどこまで有効に検出でき、どのような情報を得られるかを知ることはできない。そのため、走行経路上に障害物検知で停止するようなものがあっても、実際に自律走行を試してみるまでわからないという問題があった。
【０００５】
従来技術として、例えば、車両の走行制御装置において、所定の走行経路に沿って無人走行される搬送車の走行制御を、パソコン上で搬送車をシミュレーション走行させて、制御パラメ−タを用いたフィードバック制御を微修正するようにしたものが提案されている（特許文献１を参照）。
【０００６】
このように構成することで、シミュレーションの結果に基づいて、フィ−ドバック制御用の制御パラメ−タをより適切なものに修正することができる。
【先行技術文献】
【特許文献】
【０００７】
【特許文献１】特開平１１−１９４８２１号公報
【発明の概要】
【発明が解決しようとする課題】
【０００８】
しかしながら、上述した特許文献１の走行制御装置では、車両のシミュレーション走行によりフィ−ドバック制御の制御パラメ−タを適切に設定することで、車両の良好な走行を確保すことができるが、走行経路の状態による影響を考慮した車両の走行を予測できないという問題がある。
【０００９】
本発明は、上記従来の問題点に鑑みてなされたものであって、自律走行車両の走行状態を予測して正確な走行経路を設定できる自律走行車両制御装置、自律走行車両制御システム及び自律走行車両制御方法を提供することを目的とする。
【課題を解決するための手段】
【００１０】
上述した課題を解決するための本発明に係る自律走行車両制御装置、自律走行車両制御システム及び自律走行車両制御方法は、次の通りである。
【００１１】
本発明は、周辺情報に基づき自律走行を行う自律走行車両の走行経路を設定する自律走行車両制御装置であって、前記自律走行車両の走行経路を表示する表示部と、前記走行経路を設定する経路設定手段と、前記自律走行車両の走行状態に影響を与える走行影響情報を取得する走行影響情報取得手段と、前記走行影響情報に基づいて前記走行経路を予測する走行経路予測手段と、前記走行経路予測手段により予測された走行経路を前記表示部に表示する走行経路表示手段と、を備えたことを特徴とするものである。
【００１２】
また、本発明は、周辺情報に基づき自律走行を行う自律走行車両と、前記自律走行車両と無線で通信可能な外部サーバと、を備えて、前記自律走行車両の走行経路を設定する自律走行車両制御システムであって、前記自律走行車両の構成として、前記自律走行車両の走行を制御する制御部と、前記自律走行車両の走行状態に影響を与える走行影響情報を取得する走行影響情報取得手段と、を備え、前記外部サーバの構成として、前記自律走行車両の走行経路を表示する表示部と、前記走行経路を設定する経路設定手段と、前記走行影響情報取得手段より取得された走行影響情報に基づいて前記走行経路を予測する走行経路予測手段と、前記走行経路予測手段により予測された走行経路を前記表示部に表示する走行経路表示手段と、を備えたことを特徴とするものである。
【００１３】
また、本発明は、周辺情報に基づき自律走行を行う自律走行車両の走行経路を設定する自律走行車両制御方法であって、前記自律走行車両の走行経路を表示する工程と、前記走行経路を設定する工程と、前記自律走行車両の走行状態に影響を与える走行影響情報を取得する工程と、前記走行影響情報に基づいて前記走行経路を予測する工程と、前記走行経路予測手段により予測された走行経路を前記表示部に表示する工程と、を備えたことを特徴とするものである。
【発明の効果】
【００１４】
本発明の自律走行車両制御装置によれば、周辺情報に基づき自律走行を行う自律走行車両の走行経路を設定する自律走行車両制御装置であって、前記自律走行車両の走行経路を表示する表示部と、前記走行経路を設定する経路設定手段と、前記自律走行車両の走行状態に影響を与える走行影響情報（例えば、路面状態（乾燥路、ぬかるみ路等）、路面の傾斜状態、天候情報（風雨、晴天、風向）等）を取得する走行影響情報取得手段と、前記走行影響情報に基づいて前記走行経路を予測する走行経路予測手段と、前記走行経路予測手段により予測された走行経路を前記表示部に表示する走行経路表示手段と、を備えたことで、走行影響情報に基づいて自律走行車両の走行状態を予測してより正確な走行経路を設定できる。
【００１５】
また、本発明の自律走行車両制御システムによれば、周辺情報に基づき自律走行を行う自律走行車両と、前記自律走行車両と無線で通信可能な外部サーバと、を備えて、前記自律走行車両の走行経路を設定する自律走行車両制御システムであって、前記自律走行車両の構成として、前記自律走行車両の走行を制御する制御部と、前記自律走行車両の走行状態に影響を与える走行影響情報を取得する走行影響情報取得手段と、を備え、前記外部サーバの構成として、前記自律走行車両の走行経路を表示する表示部と、前記走行経路を設定する経路設定手段と、前記走行影響情報取得手段より取得された走行影響情報に基づいて前記走行経路を予測する走行経路予測手段と、前記走行経路予測手段により予測された走行経路を前記表示部に表示する走行経路表示手段と、を備えたことで、走行影響情報に基づいて自律走行車両の走行状態を予測してより正確な走行経路を設定できる。
【００１６】
また、本発明の自律走行車両制御方法によれば、周辺情報に基づき自律走行を行う自律走行車両の走行経路を設定する自律走行車両制御方法であって、前記自律走行車両の走行経路を表示する工程と、前記走行経路を設定する工程と、前記自律走行車両の走行状態に影響を与える走行影響情報を取得する工程と、前記走行影響情報に基づいて前記走行経路を予測する工程と、前記走行経路予測手段により予測された走行経路を前記表示部に表示する工程と、を備えたことで、走行影響情報に基づいて自律走行車両の走行状態を予測してより正確な走行経路を設定できる。
【図面の簡単な説明】
【００１７】
【図１】本発明の第１実施形態に係る自律走行車両制御装置により走行制御される自律走行車両の全体の構成を示す説明図である。
【図２】前記自律走行車両制御装置の構成を示すブロック図である。
【図３】前記自律走行車両制御部装置を構成する情報処理部の構成を示すブロック図である。
【図４】前記自律走行車両制御装置による表示部における自律走行車両のシミュレーションによる設定通りの走行経路の一例を示す説明図である。
【図５】前記自律走行車両制御装置による表示部における自律走行車両のシミュレーションによる走行に影響が及ぶ状態の場合の走行経路の一例を示す説明図である。
【図６】前記自律走行車両の走行のシミュレーションを行う処理工程を示すフローチャートである。
【図７】本発明の第２実施形態に係る自律走行車両制御装置を構成する情報処理部の構成を示すブロック図である。
【図８】前記自律走行車両制御装置による表示部における自律走行車両のシミュレーションによる走行路面が傾斜した状態の走行経路の一例を示す説明図である。
【図９】前記自律走行車両の走行のシミュレーションを行う処理工程を示すフローチャートである。
【図１０】本発明の第３実施形態に係る自律走行車両制御装置を構成する情報処理部の構成を示すブロック図である。
【図１１】前記自律走行車両制御装置による表示部における自律走行車両のシミュレーションによる走行路面上に障害物を検出したときの走行経路の一例を示す説明図である。
【図１２】前記自律走行車両の走行のシミュレーションを行う処理工程を示すフローチャートである。
【発明を実施するための形態】
【００１８】
（第１実施形態）
以下、本発明の自律走行車両制御装置を実施するための形態について図面を参照して説明する。
図１は発明を実施する形態の一例であって、本発明の第１実施形態に係る自律走行車両制御装置により走行制御される自律走行車両の全体の構成を示す説明図、図２は前記自律走行車両制御装置の構成を示すブロック図、図３は前記自律走行車両制御部装置を構成する情報処理部の構成を示すブロック図、図４は前記自律走行車両制御装置による表示部における自律走行車両のシミュレーションによる設定通りの走行経路の一例を示す説明図、図５は前記自律走行車両制御装置による表示部における自律走行車両のシミュレーションによる走行に影響が及ぶ状態の場合の走行経路の一例を示す説明図である。
【００１９】
第１実施形態に係る自律走行車両制御装置１０は、図１，図２に示すように、検出手段として進行方向の周辺情報を取得する周辺情報取得センサ２を備え、前記周辺情報に基づき自律走行を行う自律走行車両の走行経路を設定するものであって、本発明に係る特徴的な構成を備える自律走行車両制御装置が採用されたものである。
【００２０】
ここで、自律走行車両とは、人間の判断を介することなく、機械またはプログラムにより自律的に走行する装置であり、例えば、工場内で対象物を運ぶ自律型産業用運搬車両や野外の特定されたエリア内の監視を行なう自律型監視車両などが知られている。
【００２１】
第１実施形態に係る自律走行車両１は、図１に示すように、周辺情報取得センサ２と、車体（装置本体）３と、走行するためのタイヤ５と、緩衝部材として機能するバンパー７と、を備えて構成されている。
【００２２】
第１実施形態に係る自律走行車両制御装置１０は、図２に示すように、周辺情報取得センサ２により取得された周辺情報を処理する情報処理部１１と、前記周辺情報に基づき自律走行車両１の走行を制御する制御部１２と、周辺情報取得センサ２により取得された周辺情報を記憶する記憶部１３と、表示部１５を備えている。
【００２３】
自律走行車両制御装置１０を構成する情報処理部１１と、制御部１２と、記憶部１３と、表示部１５は、自律走行車両１の運転を制御する外部サーバ（図示省略）に設けられている。外部サーバは、自律走行車両１と無線で通信可能に接続されている。
【００２４】
すなわち、自律走行を行う自律走行車両１と、外部サーバとを備えて自律走行車両制御システムが構成されている。
【００２５】
周辺情報取得センサ２には、レーザ式センサが用いられている。
レーザ式センサは、発光部よりレーザを照射し、対象物の表面において反射された反射光を受光部にて検知することで、発光から受光までの時間に基づき対象物までの距離を測距する。
【００２６】
周辺情報取得センサ２は、図１に示すように、自律走行車両１の車体３の前方に配置されている。すなわち、周辺情報取得センサ２により自律走行車両１の進行方向の周辺情報を取得することができる。符号２ａは検出領域を示す。
【００２７】
さらに、第１実施形態では、自律走行車両１の走行状態に影響を与える走行影響情報を取得する走行影響情報取得手段１６を自律走行車両１に備えている。
走行影響情報取得手段１６は、ＣＣＤカメラ等を用いて画像情報を取得するものであってもよい。
【００２８】
第１実施形態では、走行影響情報取得手段１６により走行路面の状態を画像情報（カメラ画像）として取得して、取得した画像情報から走行路面の色情報を取得して、その色情報によって走行路面の状態（摩擦係数の大小、スリップし易い路面か否か、路面が凸凹で振動が大きい路面か否か）を判断するようにされている。また、その走行路面の色情報を表示部に表示するようにしてもよい。
【００２９】
また、一度通った経路の走行路面の状態において、走行影響情報として、摩擦係数が小さくてスリップし易い路面や、凸凹状態で振動が大きい路面がある場合には、表示部に表示されるマップ上にその位置を表示して、危険性の高い経路であることを知らせるようにしてもよい。
【００３０】
周辺情報取得センサ２および走行影響情報取得手段１６により取得した情報は、情報処理部１１において処理される。
【００３１】
情報処理部１１は、図３に示すように、認識処理部１１１と、障害物判定部１１２と、移動経路決定部１１３と、走行経路予測手段１１５と、走行経路表示手段１１７とを備えている。
【００３２】
認識処理部１１１は、周辺情報の位置を認識する。
障害物判定部１１２は、周辺情報を認識して自律走行車両１の前方に障害物があるか否かを判定する。
移動経路決定部１１３は、認識処理部１１１による周辺情報の認識と障害物判定部１１２による障害物の有無を判定により自律走行車両１の移動する経路を決定する。
【００３３】
走行経路予測手段１１５は、走行影響情報に基づき走行経路のずれ等を予測する。
ここでは、走行経路予測手段１１５は、走行影響情報として取得した画像情報から走行路面の色情報を取得して、その色情報に基づき走行路面の状態（摩擦係数の大小、スリップし易いか否か）を判断して、走行路面の状態に応じて変化する走行経路を予測する。
【００３４】
走行路面の状態の判断は、予め設定した色情報に対応した摩擦係数によってスリップ量やずれ量を設定した予測テーブル等を用いてもよい。
【００３５】
走行経路表示手段１１７は、走行経路予測手段１１５により予測された走行経路を表示部１５に表示するように指示するものである。第１実施形態では、ユーザの指示により設定された走行経路（設定走行経路）も合わせて表示するようにされている。
【００３６】
具体的には、第１実施形態では、走行経路表示手段１１７は、自律走行車両１が設定通り走行が行なわれる場合は、図４に示すように、表示部１５の表示画面上に、走行開始位置ｐ１に自律走行車両１の縮小画像１ａを表示し、ユーザ移動指示位置ｐ２に縮小画像１ｂ１を表示するとともに、走行開始位置ｐ１からユーザ移動指示位置ｐ２に至る設定走行経路１ｃ１を表示する。
【００３７】
また、自律走行車両１の走行状態に影響が及ぶ状態の場合は、図５に示すように、走行開始位置ｐ１に自律走行車両１の縮小画像１ａを表示し、ユーザ移動指示位置ｐ２に縮小画像１ｂ１を表示するとともに、走行状態に影響が及ぶとされる予測移動位置ｐ３に縮小画像１ｂ２を表示し、走行開始位置ｐ１からユーザ移動指示位置ｐ２に至る設定走行経路１ｃ１と、予測移動位置ｐ３に至る予測走行経路１ｃ２を表示する。
【００３８】
図５においては、自律走行車両１が走行する走行経路の路面状態がスリップし易い状態と判断されて、図中右回りの旋回動作が、タイヤ５がスリップすることにより移動量が少なくなるため、設定予定よりも左寄りにずれることが予測されて、走行経路および移動位置が左寄りとなる。
【００３９】
なお、ユーザが走行経路を確認し易くするために、図５において、路面状態を表示するようにしてもよい。例えば、走行路面が乾燥した状態とぬかるんだ状態では、摩擦係数に応じてスリップ状態が異なるため、路面状態に応じて色を変えたり、表示パターンを変えたりして表示するようにしてもよい。
【００４０】
次に、第１実施形態の自律走行車両制御装置１０による自律走行車両１の走行のシミュレーションを行なう処理工程の概略をフローチャートに沿って説明する。
図６は第１実施形態の自律走行車両の走行のシミュレーションを行う処理工程を示すフローチャートである。
【００４１】
図６に示すように、自律走行車両制御装置１０により自律走行車両１の走行のシミュレーションが開始されると、まず、走行影響情報取得手段１６により走行影響情報が取得される（ステップＳ１０１）。
【００４２】
走行影響情報取得手段１６により取得された走行影響情報、自律走行車両１の位置情報は情報処理部１１に送られて自律走行に必要な情報処理が行われ（ステップＳ１０２）、記憶部１３に記憶される（ステップＳ１０３）。
【００４３】
そして、ユーザの指示に基づき走行経路が設定され（ステップＳ１０４）、走行影響情報に基づき走行経路が予測されて、予測走行経路が設定される（ステップＳ１０５）。
【００４４】
そして、表示部１５の表示画面上に、ユーザの指示に基づき設定された設定走行経路が表示され（ステップＳ１０６）、走行影響情報に基づき予測された予測走行経路が表示されて（ステップＳ１０７）、自律走行車両１の走行のシミュレーションが終了する。
【００４５】
このようにして、自律走行車両制御装置１０により、表示部１５の表示画面上に、ユーザの指示に基づき設定された設定走行経路と、走行影響情報に基づき予測される予測走行経路が表示されるので、実際に自律走行車両１が走行する前に、走行する経路（走行状態）を確認することができる。
【００４６】
以上のように構成したので、第１実施形態によれば、自律走行車両制御装置１０において、自律走行車両１の走行経路を設定する移動経路決定部１１３と、自律走行車両１の走行状態に影響を与える走行影響情報（例えば、路面状態）を取得する走行影響情報取得手段１６と、走行影響情報に基づいて走行経路を予測する走行経路予測手段１１５と、走行経路予測手段１１５により予測された走行経路を表示する走行経路表示手段１１７と、を備えたことで、走行影響情報に基づいて予測された予測走行経路を表示部１５の表示画面上に表示することで、実際に自律走行車両１を走行させることなく、走行のシミュレーションにより、走行影響情報に基づいて自律走行車両１の走行経路を予測して安全で正確な走行経路を設定できる。
【００４７】
また、第１実施形態では、走行影響情報取得手段１６により走行路面の状態を画像情報として取得して、取得した画像情報から走行路面の色情報を取得して、その色情報に基づいて画素の色や階調の勾配を見分けることでユーザには判断し難いような走行路面の状態（摩擦係数の大小、スリップし易い路面か否か、路面が凸凹で振動が大きい路面か否か）を判断して走行経路を予測することができる。
【００４８】
例えば、同じように見えるアスファルトの路面でも、雨水等が浸透し易い穴がある粗い路面ならばスリップし難いが、雨水等が浸透し難い目が詰まっている路面ではスリップし易くなる。このように、ユーザ（監視者）が一見して判断し難い場合でも、表示部のマップ上に走行影響情報に基づいて走行経路を予測して表示することができる。
【００４９】
また、第１実施形態では、表示部１５の表示画面上に、ユーザの指示に基づき設定された設定走行経路１ｃ１と、走行影響情報に基づき予測された予測走行経路１ｃ２とを表示するようにしたので、ユーザは設定走行経路１ｃ１と、予測走行経路１ｃ２とを比較して、より安全で正確な走行経路を設定できる。
【００５０】
なお、第１実施形態では、走行影響情報として路面状態（乾燥路、ぬかるみ路等）を用いているが、例えば、天候情報（風雨、晴天、風向）を用いて走行経路を予測するようにしてもよい。
【００５１】
（第２実施形態）
次に、本発明の第２実施形態について図面を参照して説明する。
図７は本発明の第２実施形態に係る自律走行車両制御装置を構成する情報処理部の構成を示すブロック図、図８は前記自律走行車両制御装置による表示部における自律走行車両のシミュレーションによる走行路面が傾斜した状態の走行経路の一例を示す説明図である。
【００５２】
なお、第２実施形態における自律走行車両制御装置について、第１実施形態の自律走行車両制御装置の構成と同様な構成のものは同一の符号を付することで説明を省略する。
【００５３】
第２実施形態の自律走行車両制御装置２１０は、図７に示すように、情報処理部２１１と、制御部１２と、記憶部１３と、表示部１５を備えるとともに、第１実施形態における走行影響情報取得手段１６に換えて、自律走行車両１の姿勢を検出する傾斜センサ２１６を備えたことを特徴とするものである。
【００５４】
自律走行車両制御装置２１０を構成する情報処理部２１１と、制御部１２と、記憶部１３と、表示部１５は、第１実施形態と同様に自律走行車両１の運転を制御する外部サーバ（図示省略）に設けられている。
【００５５】
傾斜センサ２１６は、車体３に搭載され、自律走行車両１の姿勢の状態、例えば、上向き、下向き、右側へ傾斜、左側へ傾斜などの傾斜情報を検出する。自律走行車両１の走行姿勢の変化は走行に影響するため、傾斜センサ２１６により、走行影響情報として傾斜情報を取得している。
【００５６】
情報処理部２１１は、認識処理部１１１と、障害物判定部１１２と、移動経路決定部１１３と、走行経路予測手段２１５と、走行経路表示手段２１７とを備えている。
【００５７】
第２実施形態では、自律走行車両１が走行する路面に傾斜面を有する場合は、走行路面の傾斜状態に応じて走行状態が変動するため、傾斜センサ２１６により予め検出された走行路面の傾斜角度を走行影響情報として用いる。
【００５８】
第２実施形態では、走行経路予測手段２１５は、走行影響情報として傾斜センサ２１６により取得した傾斜情報（傾斜角度）に基づき走行路面の状態を判断して、走行路面の状態に応じて変化する走行経路を予測する。
【００５９】
走行路面の状態の判断は、予め設定した自律走行車両１の傾斜角度に応じてスリップ量やずれ量を設定した予測テーブル等を用いてもよい。また、傾斜角度に加えて路面の摩擦係数を考慮してスリップ量やずれ量を設定してもよい。
【００６０】
第２実施形態では、表示部１５には、図８に示すように、地形を示す等高線Ｌ１，Ｌ２，Ｌ３，Ｌ４や障害物Ｂ１，Ｂ２等を含むマップ画面が表示されている。等高線Ｌ１，Ｌ２，Ｌ３，Ｌ４の間隔が狭いと路面の傾斜角度が急であり、間隔が広いと路面の傾斜角度が緩くなっている。
【００６１】
第２実施形態では、走行経路表示手段２１７は、図８に示すように、表示部１５のマップ画面上に、走行開始位置に自律走行車両１の縮小画像１ａを表示し、走行開始位置ｐ１からユーザにより設定された設定走行経路１ｃ３を表示するとともに、傾斜面により走行状態に影響が及ぶとされる予測走行経路１ｃ４を表示する。ここでは、予測走行経路１ｃ４上に障害物Ｂ１が存在するため、予測走行経路１ｃ４は障害物Ｂ１の位置までとなる。
【００６２】
次に、第２実施形態の自律走行車両制御装置２１０による自律走行車両１の走行のシミュレーションを行なう処理工程の概略をフローチャートに沿って説明する。
図９は第２実施形態の自律走行車両の走行のシミュレーションを行う処理工程を示すフローチャートである。
【００６３】
図９に示すように、自律走行車両制御装置２１０により自律走行車両１の走行のシミュレーションが開始されると、まず、傾斜センサ２１６により予め検出された走行路面の傾斜角度を取得する（ステップＳ２０１）。
【００６４】
傾斜センサ２１６により予め検出された傾斜角度の情報、自律走行車両１の位置情報は情報処理部２１１に送られて自律走行に必要な情報処理が行われ（ステップＳ２０２）、記憶部１３に記憶される（ステップＳ２０３）。
【００６５】
そして、ユーザの指示に基づき走行経路が設定され（ステップＳ２０４）、走行路面の傾斜角度に基づき走行経路が予測されて、予測走行経路が設定される（ステップＳ２０５）。
【００６６】
そして、表示部１５のマップ画面上に、ユーザの指示に基づき設定された設定走行経路１ｃ３が表示され（ステップＳ２０６）、傾斜角度に基づき予測された予測走行経路１ｃ４が表示されて（ステップＳ２０７）、自律走行車両１の走行のシミュレーションが終了する。
【００６７】
このようにして、自律走行車両制御装置２１０により、表示部１５のマップ画面上に、ユーザの指示に基づき設定された設定走行経路１ｃ３と、走行路面の傾斜角度に基づき予測される予測走行経路１ｃ４が表示されるので、実際に自律走行車両１が走行する前に、走行する経路（走行状態）を確認することができる。
【００６８】
以上のように構成したので、第２実施形態によれば、走行路面の傾斜角度に応じて自律走行車両１の走行経路を予測して、マップ画面上に表示された予測走行経路１ｃ４を確認できるので、安全で正確な走行経路を設定できる。
【００６９】
また、第２実施形態では、表示部１５のマップ画面上に、ユーザの指示に基づき設定された設定走行経路１ｃ３と、傾斜角度に基づき予測された予測走行経路１ｃ４とを表示するようにしたので、ユーザは設定走行経路１ｃ３と、予測走行経路１ｃ４とを比較して、より安全で正確な走行経路を設定できる。
【００７０】
なお、第２実施形態では、傾斜センサ２１６により予め検出した傾斜角度に基づいて走行経路を予測しているが、マップ画面における等高線の間隔に応じて算出される傾斜角度に基づいて走行経路を予測するようにしてもよい。
【００７１】
（第３実施形態）
次に、本発明の第３実施形態について図面を参照して説明する。
図１０は本発明の第３実施形態に係る自律走行車両制御装置を構成する情報処理部の構成を示すブロック図、図１１は前記自律走行車両制御装置による表示部における自律走行車両のシミュレーションによる走行路面上に障害物を検出したときの走行経路の一例を示す説明図である。
【００７２】
なお、第３実施形態における自律走行車両制御装置について、第１実施形態の自律走行車両制御装置の構成と同様な構成のものは同一の符号を付することで説明を省略する。
【００７３】
第３実施形態の自律走行車両制御装置３１０は、図１０に示すように、情報処理部３１１と、制御部１２と、記憶部１３と、表示部１５を備え、自律走行車両１の周辺情報取得センサ２が走行影響情報取得手段として機能するように構成することを特徴とするものである。
【００７４】
自律走行車両制御装置３１０を構成する情報処理部３１１と、制御部１２と、記憶部１３と、表示部１５は、第１実施形態と同様に自律走行車両１の運転を制御する外部サーバ（図示省略）に設けられている。
【００７５】
情報処理部３１１は、認識処理部１１１と、障害物判定部１１２と、移動経路決定部１１３と、走行経路予測手段３１５と、走行経路表示手段３１７とを備えている。
【００７６】
第３実施形態では、自律走行車両１が走行する路面に障害物が存在する場合は、走行経路予測手段３１５は、障害物を走行に影響を及ぼすものとして判断して、走行経路を障害物までとする。
【００７７】
第３実施形態では、走行経路表示手段３１７は、図１１に示すように、表示部１５の表示画面上に、走行開始位置に自律走行車両１の縮小画像１ａ１に加えて周辺情報取得センサ２の検出領域２ａを表示し、走行開始位置ｐ１からユーザにより設定された設定走行経路１ｃ５を表示する。そして、設定走行経路１ｃ５付近に障害物Ｂ３，Ｂ４が存在する場合は、自律走行車両１の走行が不可能と判断された場合に、自律走行車両１は障害物Ｂ３，Ｂ４の手間の位置で停止して、予測走行経路１ｃ６は障害物Ｂ３，Ｂ４の手前の位置までとなる。図中の縮小画像１ａ２が障害物Ｂ３，Ｂ４の手間の位置で停止した状態である。
【００７８】
なお、表示部１５に表示される周辺情報取得センサ２の検出領域２ａは、表示される他の領域とは異なる色で表示したり、検出領域２ａを点滅するようにしたりするものであってもよい。
【００７９】
また、検出領域２ａを表示する例として、使用される周辺情報取得センサ２の種類に応じて色を変えて表示するようにしてもよい。例えば、走行影響情報取得手段として車体の４方向（前方向、後方向、左右方向）に取付けた４サイドカメラによって検出される４方向の検出領域を、色を変えて表示するようにしてもよい。
【００８０】
また、検出領域２ａを表示する例として、周辺情報取得センサ２が障害物を検出した場合に、通常時の検出領域２ａの色から別の色に変えて表示するようにしてもよい。
【００８１】
また、さらに、周辺情報取得センサ２が障害物を検出した場合には、表示部１５に警告（ワーニング）を表示するようにしてもよい。
【００８２】
次に、第３実施形態の自律走行車両制御装置３１０による自律走行車両１の走行のシミュレーションを行なう処理工程の概略をフローチャートに沿って説明する。
図１２は第３実施形態の自律走行車両の走行のシミュレーションを行う処理工程を示すフローチャートである。
【００８３】
図１２に示すように、自律走行車両制御装置３１０により自律走行車両１の走行のシミュレーションが開始されると、まず、ユーザの指示に基づき走行経路が設定される（ステップＳ３０１）。そして、周辺情報取得センサ２に検知されたものが障害物判定部１１２により障害物と判定された場合に、障害物を検知した時点までの走行経路が予測されて設定される（ステップＳ３０２）。
【００８４】
そして、表示部１５のマップ画面上に、ユーザの指示に基づき設定された設定走行経路１ｃ５が表示され（ステップＳ３０３）、障害物の手前までの予測走行経路１ｃ６が表示されて（ステップＳ３０４）、自律走行車両１の走行のシミュレーションが終了する。
【００８５】
このようにして、自律走行車両制御装置３１０により、表示部１５のマップ画面上に、ユーザの指示に基づき設定された設定走行経路１ｃ５と、障害物を検知するまでの予測走行経路１ｃ６が表示されるので、実際に自律走行車両１が走行する前に、障害物を検知した場合に、自律走行車両１が障害物の手前で停止することを確認することができる。
【００８６】
以上のように構成したので、第３実施形態によれば、周辺情報取得センサ２により障害物を検出して自律走行車両１の走行が不可能と判断された場合には、自律走行車両１の走行を停止して障害物の手前までを予測走行経路１ｃ６とすることを表示画面上で確認できるので、ユーザは安全で正確な走行経路を設定できる。
【００８７】
なお、上述した実施形態においては、自律走行車両の周辺情報を検出する検出手段として、位置情報を取得するレーザを用いたセンサや、画像情報を取得するＣＣＤを用いたセンサを採用しているが、本発明は、検出手段をこれらに限定するものではなく、他の例として、超音波を発信し、対象物の表面において反射された音波を受信部にて検知することで対象物までの距離を測距する超音波センサ等を用いるものであってもよい。
【００８８】
なお、上述した実施形態では、自律走行車両制御装置を構成する情報処理部、制御部、記憶部、表示部を、自律走行車両１の運転を制御する外部サーバに設け、周辺情報取得センサ２を自律走行車両１に設けるようにしているが、本発明は、これに限定されるものではない。
【００８９】
例えば、自律走行車両制御装置の構成として、装置の一部（情報処理部や表示部等）を外部サーバに設け、自律走行車両１の走行制御に関する装置（走行を制御する制御部）を自律走行車両１に搭載するようにしたものや、センサ関係を自律走行車両１に設けて、センサ以外の制御に関する装置を自律走行車両１の運転を制御する外部サーバに設けるようにしたもの、また、自律走行車両制御装置を構成する装置を全て自律走行車両１に搭載して、自律走行車両１を単独で走行制御するようにしたものであってもよい。
【００９０】
また、上述した実施形態では、自律走行装置を警備用巡回ロボットとして機能する自律走行車両に適用した場合を例にとって説明したが、他の自律走行装置に適用可能なことは勿論である。例えば、自動搬送装置や、無人巡回車両、無人宅配ロボット、無人運転農機といった装置に適用しても良い。
【００９１】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９２】
また、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【００９３】
１  自律走行車両
１ｃ１，１ｃ３，１ｃ５  設定走行経路
１ｃ２，１ｃ４，１ｃ６  予測走行経路
２  周辺情報取得センサ
１０，２１０，３１０  自律走行車両制御装置
１１，２１１，３１１  情報処理部
１２  制御部
１３  記憶部
１５  表示部
１６  走行影響情報取得手段
１１１  認識処理部
１１２  障害物判定部
１１３  移動経路決定部
１１５，２１５，３１５  走行経路予測手段
１１７，２１７，３１７  走行経路表示手段
２１６  傾斜センサ（走行影響情報取得手段）
Ｂ１，Ｂ２，Ｂ３，Ｂ４  障害物
【図１】
2018032282.tif 000003
【図２】
2018032282.tif 000004
【図３】
2018032282.tif 000005
【図４】
2018032282.tif 000006
【図５】
2018032282.tif 000007
【図６】
2018032282.tif 000008
【図７】
2018032282.tif 000009
【図８】
2018032282.tif 000010
【図９】
2018032282.tif 000011
【図１０】
2018032282.tif 000012
【図１１】
2018032282.tif 000013
【図１２】
2018032282.tif 000014